(57)【要約】      （修正有）【課題】ユーザー自らが移動しなくとも様々な角度でシュートを練習することができるバスケットゴールの構造を提供する。【解決手段】バスケット板２０は、駆動棒２１上に固定され、後端に補強フレーム２２が設けられ、補強フレーム２２には、弧形状の位置決め棒２３が設けられる。駆動棒２１は、下端に第１の駆動装置２４を有し、上端に固定フレーム３０が枢着される。固定フレーム３０の下端には、第２の駆動装置３１により制御される固定ブロック３２が設けられ、固定ブロック３２に設けた開口溝３３は、バスケット板２０の後方に接続された位置決め棒２３上に位置する。第１の駆動装置２４により駆動棒２１を回転し、駆動棒２１を中心にバスケット板２０及びバスケットリング１２を所望の位置まで回転させる。【選択図】図２
0003157231.tif 000002
【実用新案登録請求の範囲】
【請求項１】
フレームと、プレートと、バスケットリングを有するバスケット板と、を備えてなるバスケットゴールであって、
前記バスケット板は、駆動棒上に固定され、後端に補強フレームが設けられ、前記補強フレームには弧形状の位置決め棒が設けられ、
前記駆動棒は、下端に第１の駆動装置を有し、上端に固定フレームが枢着され、
前記固定フレームの下端には、第２の駆動装置により制御される固定ブロックが設けられ、前記固定ブロックに設けられた開口溝は、前記バスケット板の後方に接続された前記位置決め棒上に位置してなるものであり、
ユーザーは、前記第１の駆動装置により前記駆動棒を回転し、前記駆動棒を中心に前記バスケット板及び前記バスケットリングを所望の位置まで回転させてから、前記固定フレームの下方に設けた前記第２の駆動装置により、前記固定ブロックを前方へ移動し、前記バスケット板の後方に設けられた位置決め棒に当接して前記バスケット板を安定的に位置決めし、ユーザー自らは移動せずに様々な角度でシュート練習することができるように構成されたことを特徴とするバスケットゴール。
【考案の詳細な説明】
【技術分野】
【０００１】
本考案は、バスケットゴールの構造に関するものであり、さらに詳しくは、ユーザー自らが移動しなくとも様々な角度でシュートを練習することができるように構成されたバスケットゴールの構造に関するものである。
【背景技術】
【０００２】
現代人の生活は多忙を極め、仕事から開放された後に屋外で運動をする時間がなく、ストレスを発散させる機会を欠くことが多いことから、屋内で運動できる様々な運動鍛錬用のゲーム設備が市販されている。
【０００３】
それらのうちの一つであるバスケットボールのゲーム設備は、一般にフレームの中に、下方に傾斜状のプレートが設けられ、バスケットリングを有するバスケット板が配置されている。シュートしたボールは、傾斜状プレートによりユーザーへ自動的に戻るため、ユーザーはシュート練習を繰り返して行うことができる。かかる運動を行うことができれば、ユーザーはストレスを発散して運動効果を得ることができる。
【０００４】
しかし、かかる従来のバスケットゴールの構造によれば、バスケット板及びバスケットリングの位置が固定され、バスケット板に対する角度が常に同一であるため動作が単純となり、ユーザーはすぐに飽きて止めてしまいストレス発散には十分でないという問題点があった。
【０００５】
かかる状況下において各種のバスケットゴールが提案されている。例えば、実開平６−６１２６８号公報によれば、バスケット板の高さを調整できるようにしてあるが、バスケット板を回転させ角度を調整するような機構については、やはり、開示がない。
【特許文献１】実開平６−６１２６８号公報
【考案の開示】
【考案が解決しようとする課題】
【０００６】
従って、本考案の課題は、ユーザー自らが移動しなくとも様々な角度でシュートを練習することができるバスケットゴールの構造を提供することにある。
【課題を解決するための手段】
【０００７】
そこで、本考案者は、従来の問題に鑑み、前記課題を解決するために、鋭意検討を重ねたところ、後記する如く、回転可能なバスケット板及びバスケットリングを備えたバスケットゴールを開発し、かかるバスケットゴールでスリーポイントシュートの競技を行ったり、バスケット板を回転させることにより、ユーザー自らが移動しなくとも様々な角度でシュート練習が可能なことに着目し、かかる知見に基づいて本考案に想到した。
【０００８】
すなわち、前記記課題を解決するために、本考案の第１の形態によれば、バスケットゴールは、フレームと、プレートと、バスケットリングを有するバスケット板と、を備え、前記バスケット板は、駆動棒上に固定され、後端に補強フレームが設けられ、前記補強フレームには、弧形状の位置決め棒が設けられ、前記駆動棒は、下端に第１の駆動装置を有し、上端に固定フレームが枢着され、前記固定フレームの下端には、第２の駆動装置により制御される固定ブロックが設けられ、前記固定ブロックに設けた開口溝は、前記バスケット板の後方に接続された前記位置決め棒上に位置し、ユーザーは、前記第１の駆動装置により前記駆動棒を回転し、前記駆動棒を中心に前記バスケット板及び前記バスケットリングを所望の位置まで回転させてから、前記固定フレームの下方に設けた前記第２の駆動装置により、前記固定ブロックを前方へ移動し、前記バスケット板の後方にある位置決め棒に当接して前記バスケット板を安定的に位置決めし、ユーザー自らは移動せずに様々な角度でシュート練習することを特徴とするバスケットゴールの構造が提供される。
【０００９】
かくして、本考案によれば、
請求項１において、
フレームと、プレートと、バスケットリングを有するバスケット板と、を備えてなるバスケットゴールであって、
前記バスケット板は、駆動棒上に固定され、後端に補強フレームが設けられ、前記補強フレームには弧形状の位置決め棒が設けられ、
前記駆動棒は、下端に第１の駆動装置を有し、上端に固定フレームが枢着され、
前記固定フレームの下端には、第２の駆動装置により制御される固定ブロックが設けられ、前記固定ブロックに設けられた開口溝は、前記バスケット板の後方に接続された前記位置決め棒上に位置してなるものであり、
ユーザーは、前記第１の駆動装置により前記駆動棒を回転し、前記駆動棒を中心に前記バスケット板及び前記バスケットリングを所望の位置まで回転させてから、前記固定フレームの下方に設けた前記第２の駆動装置により、前記固定ブロックを前方へ移動し、前記バスケット板の後方に設けられた位置決め棒に当接して前記バスケット板を安定的に位置決めし、ユーザー自らは移動せずに様々な角度でシュート練習することができるように構成されたことを特徴とするバスケットゴールが提供される。
【考案の効果】
【００１０】
本考案のバスケットゴールの構造によれば、バスケット板の回転が可能であり、かつバスケット板を安定した状態にできるので、ユーザー自らが移動しなくとも様々な角度でシュートを練習することができる。
【図面の簡単な説明】
【００１１】
【図１】本考案の一実施形態によるバスケットゴールを示す斜視図である。
【図２】本考案の一実施形態によるバスケットゴールを示す斜視図である。
【図３】本考案の一実施形態によるバスケットゴールを操作する場合の状態（１）を示す側面図である。
【図４】本考案の一実施形態によるバスケットゴールを操作する場合の状態（２）を示す側面図である。
【図５】本考案の一実施形態によるバスケットゴールを操作する場合の状態（３）を示す平面図である。
【図６】本考案の一実施形態によるバスケットゴールを操作する場合の状態（４）を示す側面図である。
【考案を実施するための形態】
【００１２】
以下、本考案に係るバスケットゴールの実施形態について図面に基づいて以下に説明する。なお、これによって本考案が限定されるものではない。
図１及び図２を参照する。図１及び図２に示すように、バスケットゴール１００の中には、フレーム１０と、プレート１１と、バスケットリング１２を有するバスケット板２０と、が含まれる。バスケット板２０は、駆動棒２１上に固定され、後端に補強フレーム２２が設けられる。補強フレーム２２には、弧形状の位置決め棒２３が設けられている。駆動棒２１は、下端に第１の駆動装置２４を有し、上端に固定フレーム３０が枢着されている。固定フレーム３０の下端には、第２の駆動装置３１により制御される固定ブロック３２が設けられ、固定ブロック３２に設けた開口溝３３は、バスケット板２０の後方に接続された位置決め棒２３上に位置する。
【００１３】
図３に示すように、下端に設けた第１の駆動装置２４により駆動棒２１を回転させるとバスケット板２０及びバスケットリング１２の位置を変えることができる。これにより、図４及び図５に示すように、駆動棒２１を中心にバスケット板２０及びバスケットリング１２を所望の位置まで移動させてから、固定フレーム３０の下方に設けた第２の駆動装置３１により、固定ブロック３２を前方へ移動し、バスケット板２０の後方に設けた位置決め棒２３に当接してバスケット板２０を安定的に位置決めするバスケット板２０の安定的な位置決めの結果、ユーザーが投げるボールが当たっても、衝撃力によりバスケット板２０が移動することを防ぐことができる（図６に示す）。前記の構造により、バスケット板２０に対してユーザーは様々な角度でシュート練習することができる。
【００１４】
本実施形態の駆動装置２４，３１は、動力を伝達するギヤ、ベルト、チェーン、内装ギヤなどから構成されてもよい。
【００１５】
当該分野の技術を熟知するものが理解できるように、本考案の好適な実施形態を前述の通り開示したが、これらは決して本考案を限定するものではない。本考案の主旨と領域を脱しない範囲内で各種の変更や修正を加えることができる。従って、本考案の実用新案登録請求の範囲は、このような変更や修正を含めて広く解釈されるべきである。
【符号の説明】
【００１６】
１０    フレーム
１１    プレート
１２    バスケットリング
２０    バスケット板
２１    駆動棒
２２    補強フレーム
２３    位置決め棒
２４    第１の駆動装置
３０    固定フレーム
３１    第２の駆動装置
３２    固定ブロック
３３    開口溝
１００  バスケットゴール
【図１】
0003157231.tif 000003
【図２】
0003157231.tif 000004
【図３】
0003157231.tif 000005
【図４】
0003157231.tif 000006
【図５】
0003157231.tif 000007
【図６】
0003157231.tif 000008